(57)【要約】【課題】  簡単な構成で取扱の容易な粘着シートを提供しようとする。【解決手段】  従来の粘着シートにかわって、平板状の基材と、前記基材に保持され粘着面を形成する粘着剤でできた粘着層と、互いに隙間を空けて並んだ複数の縦糸と複数の横糸とを織られてできた織布と、微小生物を誘引する誘引剤を保持するシートである誘引シートと、微小生物が通過可能な材料でできており前記基材と前記誘引シートを出し入れ可能になった袋状のマット本体と、を備え、前記織布が前記粘着面に付着し、前記隙間が微生物の大きさより広い、ものとした。【選択図】    図３
2008308654.tif 000002
【特許請求の範囲】
【請求項１】
粘着シートであって、
平板状の基材と、
前記基材に保持され粘着面を形成する粘着剤でできた粘着層と、
互いに隙間を空けて並んだ複数の糸と、
を備え、
前記複数の糸が前記粘着面に付着する、
ることを特徴とする粘着シート。
【請求項２】
前記複数の糸が前記粘着層の前記粘着面が露出する実質的に全ての領域を覆う、
ことを特徴とする請求項１に記載の粘着シート。
【請求項３】
粘着シートであって、
平板状の基材と、
前記基材に保持され粘着面を形成する粘着剤でできた粘着層と、
互いに隙間を空けて並んだ複数の縦糸と複数の横糸とを織られてできた織布と、
を備え、
前記織布が前記粘着面に付着する、
ることを特徴とする粘着シート。
【請求項４】
複数の前記織布が前記粘着層の前記粘着面が露出する実質的に全て領域を覆う、
ことを特徴とする請求項３に記載の粘着シート。
【請求項５】
微小生物を誘引する誘引剤と、
を備え、
前記隙間が前記微小生物の体よりも広い、
請求項１または請求項３のうちの一つに記載の粘着シート。
【請求項６】
微小生物を誘引する誘引剤と、
を備え、
前記基材が前記誘引剤を保持し、
前記隙間が前記微小生物の体よりも広い、
請求項１または請求項３のうちの一つに記載の粘着シート。
【請求項７】
微小生物を誘引する誘引剤を保持するシートである誘引シートと、
を備え、
前記隙間が前記微小生物の体よりも広い、
請求項１または請求項３のうちの一つに記載の粘着シート。
【請求項８】
微小生物が通過可能な材料でできており前記基材と前記誘引剤を出し入れ可能になった袋状のマット本体と、
を備えることを特徴とする請求項５乃至請求項７のうちの一つに記載の粘着シート。
【発明の詳細な説明】
【技術分野】
【０００１】
本発明は、粘着シートに係る。特に、微小の対象物を捕捉するのに使用することもできる粘着シートに関する。
【背景技術】
【０００２】
生活の各種の状態で、粘着シートを用いる。
例えば、ダニ等の微小生物やちり等の微小物体を捕捉するのに粘着シートを用いる。
【０００３】
ダニを捕捉するための「ダニ誘引マット」を、一例として、説明する。
ダニ誘引マットは、マット本体と粘着シートと誘引剤とで構成される。
マット本体は、目が細かいがダニは通過可能な不織布または織布でできた袋状のものである。
粘着シートは、平板状の基材の面に粘着剤を付着させたものである。使用する前は、粘着剤の粘着面は剥離シートで覆われている。
誘引剤は、ダニを誘引するものである。
【０００４】
「ダニ誘引マット」の使用方法を説明する。
粘着シートから剥離シートをはがす。
粘着シートをマット本体の内壁に貼り付ける。
誘引剤をマット本体の内部にいれる。誘引剤を粘着シートの粘着面に乗せてもよい。
ダニ誘引マットをダニのいそうな場所（例えば、ふとん、ベッド、ソファー、カーペット、じゅうたん、押し入れのなか、車のシート）に置き、放置する。
多数のダニが、粘着シートの粘着面に捕捉される。
所定の日数がたつと、ダニ誘引マットを新しいものに交換する。
【０００５】
途中でどの程度の数のダニが捕捉されたか、見たい場合がある。しかし、一旦粘着シートをマット本体からはがすと、粘着面の粘着力が低下してしまう。
また、粘着シートの粘着剤として強力な粘着力をもつものを採用したい場合がある。しかし、上述した粘着シートに強力な粘着力をもつ粘着剤を採用すると、取扱が難しくなる。例えば、手に張り付いてしまうこともある。また、粘着シートをマット本体からはがすと、マット本体が変形してしまい、再利用できなくなる。
【０００６】
【特許文献１】特開平７−３２７５７３号
【特許文献２】特開２００１−３５４５０３号
【特許文献３】特開２００２−２５３１０３号
【特許文献４】特開２００６−３３３８４６号
【発明の開示】
【発明が解決しようとする課題】
【０００７】
本発明は以上に述べた問題点に鑑み案出されたもので、簡単な構成で取扱の容易な粘着シートを提供しようとする。
【課題を解決するための手段】
【０００８】
上記目的を達成するため、本発明に係る粘着シートを、平板状の基材と、前記基材に保持され粘着面を形成する粘着剤でできた粘着層と、互いに隙間を空けて並んだ複数の糸と、を備え、前記複数の糸が前記粘着面に付着する、ものとした。
【０００９】
上記本発明の構成により、基材は平板状である。粘着剤でできた粘着層が前記基材に保持され粘着面を形成する。複数の糸が互いに隙間を空けて並ぶ。前記複数の糸が前記粘着面に付着する。
その結果、隙間より小さなものが粘着面に付着し、隙間より大きなものが粘着面に付着しない。
【００１０】
さらに、本発明の実施形態に係る粘着シートは、前記複数の糸が前記粘着層の前記粘着面が露出する実質的に全ての領域を覆う。
上記実施形態の構成により、粘着面に付着する前記複数の糸が前記粘着層の前記粘着面が露出する実質的に全ての領域を覆う。
その結果、隙間より小さなものが粘着シートに付着し、隙間より大きなものが粘着シートに付着しない。
【００１１】
上記目的を達成するため、本発明に係るものを粘着シートを、平板状の基材と、前記基材に保持され粘着面を形成する粘着剤でできた粘着層と、互いに隙間を空けて並んだ複数の縦糸と複数の横糸とを織られてできた織布と、を備え、前記織布が前記粘着面に付着する、ものとした。
【００１２】
上記本発明の構成により、基材が平板状である。粘着剤でできた粘着層が、前記基材に保持され粘着面を形成する。織布が、互いに隙間を空けて並んだ複数の縦糸と複数の横糸とを織られてできる。前記織布が前記粘着面に付着する。
その結果、隙間より小さなものが粘着面に付着し、隙間より大きなものが粘着面に付着しない。
【００１３】
さらに、本発明の実施形態に係る粘着シートは、複数の前記織布が前記粘着層の前記粘着面が露出する実質的に全ての領域を覆う。
上記実施形態の構成により、前記粘着面に付着した複数の前記織布が前記粘着層の前記粘着面が露出する実質的に全ての領域を覆う。
その結果、隙間より小さなものが粘着シートに付着し、隙間より大きなものが粘着シートに付着しない。
【００１４】
以下に、本発明の実施形態に係る粘着シートを説明する。本発明は、以下に記載した実施形態のいずれか、またはそれらの中の二つ以上が組み合わされた態様を含む。
【００１５】
さらに、本発明の実施形態に係る粘着シートは、  微小生物を誘引する誘引剤と、を備え、前記隙間が前記微小生物の体よりも広い。
上記実施形態の構成により、誘引剤が、微小生物を誘引する。前記隙間が前記微小生物の体よりも広い。
その結果、誘引された微小生物が粘着面に付着する。
【００１６】
さらに、本発明の実施形態に係る粘着シートは、  微小生物を誘引する誘引剤と、を備え、前記基材が前記誘引剤を保持し、前記隙間が前記微小生物の体よりも広い、
上記実施形態の構成により、前記基材が微小生物を誘引する前記誘引剤を保持する。前記隙間が前記微小生物の体よりも広い。
その結果、誘引された微小生物が粘着面に付着する。
【００１７】
さらに、本発明の実施形態に係る粘着シートは、  微小生物を誘引する誘引剤を保持する誘引シートと、を備え、前記隙間が前記微小生物の体よりも広く人間の指よりも狭い、
上記実施形態の構成により、誘引シートの保持する誘引剤が微小生物を誘引する。
前記隙間が前記微小生物の体よりも広い。
その結果、誘引された微小生物が粘着面に付着する。
【００１８】
さらに、本発明の実施形態に係る粘着シートは、微小生物が通過可能な材料でできており前記基材と前記誘引剤とを出し入れ可能になった袋状のマット本体と、を備える。
上記実施形態の構成により、微小生物が通過可能な材料でできている袋状のマット本体が、前記基材と前記誘引剤とを出し入れ可能である。
その結果、前記基材と誘引剤を出し入れでき、前記基材の粘着面に捕捉された微小生物を目視で確認できる。
【発明の効果】
【００１９】
以上説明したように、本発明に係る吸着シートは、その構成により、以下の効果を有する。
互いに隙間を空けて並んだ複数の糸を基材に保持された粘着層の粘着面に付着させたので、隙間より小さなものが粘着面に付着し、隙間より大きなものが粘着面に付着しない。
粘着面に付着する前記複数の糸が、前記粘着層の前記粘着面が露出する実質的に全ての領域を覆う様にしたので、隙間より小さなものが粘着シートに付着し、隙間より大きなものが粘着シートに付着しない。
互いに隙間を空けて並んだ複数の縦糸と複数の横糸とを織られてできた織布を基材に保持された粘着層の粘着面に付着させたので、隙間より小さなものが粘着面に付着し、隙間より大きなものが粘着面に付着しない。
複数の前記織布が前記粘着層の前記粘着面が露出する実質的に全ての領域を覆う様にしたので、前記粘着面に付着した複数の前記織布が前記粘着層の前記粘着面が露出する領域をほぼ覆う。
また、誘引剤が微小生物を誘引し、前記隙間が前記微小生物の体よりも広いので、誘引された微小生物が粘着面に付着する。
また、基材が保持する誘引剤が微小生物を誘引し、前記隙間が前記微小生物の体よりも広いので、誘引された微小生物が粘着面に付着する。
また、誘引シートが保持する誘引剤が微小生物を誘引し、前記隙間が前記微小生物の体よりも広いので、誘引された微小生物が粘着面に付着する。
また、微小生物が通過可能な材料でできている袋状のマット本体を設け、前記基材と前記誘引剤とを出し入れ可能である様にしたので、前記基材と誘引剤を出し入れでき、前記基材の粘着面に捕捉された微小生物を目視で確認できる。
従って、簡単な構成で取扱の容易な粘着シートを提供できる。
【発明を実施するための最良の形態】
【００２０】
以下、本発明を実施するための最良の形態を、図面を参照して説明する。
説明の便宜のために、微小生物を捕捉するための粘着シートを例にして、説明する。
例えば、微小生物はダニである。
【００２１】
最初に、本発明の第一の実施形態に係る粘着シートを、図を基に、説明する
図１は、本発明の第一の実施形態に係る粘着シートの断面図である。図２は、本発明の第一の実施形態に係る粘着シートの平面図である。
【００２２】
本発明の第一の実施形態にかかる粘着シートは、基材１０と粘着層２０と複数の糸３１とで構成される。
例えば、本発明の第１の実施形態にかかる粘着シートは、微小な対象物を捕捉するためのシートである。
例えば、微小な対象物は、微小生物、花粉、化学物質等である。
例えば、微小生物は、ダニ、のみ等である。
【００２３】
基材１０は、平板状のものである。
例えば、基材１０は、紙、織布、不織布、プラスチック等でできている。
また、例えば、基材１０は、平らであっても、屈曲していてもよい。
【００２４】
粘着層２０は、粘着剤ででき、基材１０の保持され粘着面２１を形成する。
粘着層２０は、基材１０の表面に張り付いてもよい。
粘着層２０は、基材１０に滲み込んでいてもよい。
対象物が粘着面２１に接触すると、対象物は粘着層２０に張り付く。
【００２５】
複数の糸３１は、互いに隙間を空けて並び、粘着面２１に付着する。
糸は、繊維が撚りあわされたものでもよいし、単体の繊維自体でもよい。
例えば、糸は綿糸である。
この様にすると、隙間より小さなものは粘着面２１に張り付き、隙間より大きなものは粘着面２１に張り付かない。
複数の糸３１が、粘着層２０の粘着面２１が露出する実質的に全ての領域を覆ってもよい。
この様にすると、隙間より小さなものは粘着層２０に張り付き、隙間より大きなものは粘着層２０に張り付かない。
複数の糸３１が、粘着層２０の粘着面２１が露出する実質的に全ての領域を僅かな部分を除き覆ってもよい。
この様にすると、粘着面の僅かな部分でどこかに接着して固定することができる。
隙間は、対象物の大きさよりも大きくてもよい。
隙間は、人間の指の太さよりも狭くてもよい。
【００２６】
次ぎに、本発明の第二の実施形態に係る粘着シートを、図を基に、説明する
図３は、本発明の第二の実施形態に係る粘着シートの断面図である。図４は、本発明の第二の実施形態に係る粘着シートの平面図である。
【００２７】
本発明の第二の実施形態にかかる収納体は、基材１０と粘着層２０と織布３０とで構成される。
例えば、本発明の第二の実施形態にかかる粘着シートは、微小な対象物を捕捉するためのシートである。
例えば、微小な対象物は、微小生物、花粉、化学物質等である。
例えば、微小生物は、ダニ、のみ等である。
【００２８】
基材１０と粘着層２０とは、第一の実施形態に係る粘着シートのものと同じなので、説明を省略する。
【００２９】
織布３０は、互いに隙間を空けて並んだ複数の縦糸３１と複数の横糸３２とを織られてできたものである。
縦糸３１または横糸３２は、繊維が撚りあわされたものでもよいし、単体の繊維自体でもよい。
例えば、織布３０は、ガーゼである。
この様にすると、隙間より小さなものは粘着面２１に張り付き、隙間より大きなものは粘着面２１に張り付かない。
織布３０が、粘着層２０の粘着面２１が露出する実質的に全ての領域を覆ってもよい。
この様にすると、隙間より小さなものは粘着層２０に張り付き、隙間より大きなものは粘着層２０に張り付かない。
織布３０が、粘着層２０の粘着面２１が露出する実質的に全ての領域を僅かな部分を除き覆ってもよい。
この様にすると、粘着面の僅かな部分でどこかに接着して固定することができる。
隙間は、対象物の大きさよりも大きくてもよい。
隙間は、人間の指の太さよりも狭くてもよい。
【００３０】
次に、本発明の第三の実施形態に係る粘着シートを、図を基に、説明する。
図５は、本発明の第三の実施形態に係る粘着シートの斜視図である。
【００３１】
第三の実施形態に係る粘着シートは、基材１０と粘着層２０と複数の糸３１（又は織布３０）と誘引剤４１とマット本体５０とで構成される。
例えば、第三の実施形態に係る粘着シートは、微小生物を捕捉するためのシートである。
例えば、微小生物はダニである。
基材１０と粘着層２０と複数の糸３１（又は織布３０）は、第一（または第二）の実施形態に係る粘着シートものと同じなので、異なる点のみを説明し、他の説明を省略する。
【００３２】
隙間が微小生物の体よりも広く人間の指よりも狭い。
この様にすると、微小生物は粘着面２１に付着し、人間指は粘着面２１に付着しない。
例えば、織布３０は、ガーゼである。
例えば、ガーセは、０．２ｍｍ〜０．３ｍｍの太さの綿糸の縦糸と横糸とを織ったもので、並行する糸の間の隙間の寸法は、０．８ｍｍである。
隙間は糸の太さの２倍から５倍の間の値であってもよい。
【００３３】
誘引剤４１は、微小生物を誘引するものである。
例えば、誘引剤４１は、微小生物を誘引する化学成分を発生する。
例えば、誘引剤４１は、微小生物が好む匂い等を発生させる。
例えば、誘引剤４１は、微小生物が好む匂い等を発生させる化学成分を小さなカプセルに封じ込めたものである。
誘引剤４１は、飛散しないように小袋に収納されてもよい。
例えば、誘引剤４１は、除放性無機質マイクロカプセルに食品添加物のフルーツエキスを充填し酵母で発酵させたものである。
【００３４】
マット本体５０は、目が細かいがダニは通過可能な不織布または織布でできた袋状のものである。
マット本体１０は、基材１０と前記誘引剤４１とを出し入れ可能になった袋状のものであってもよい。
マット本体５０は、基材１０と粘着層２０と複数の糸３１（又は織布３０）と誘引剤４１とを収納できる。
この様にすると、誘引剤４１は微小生物を誘引する匂い等を発散する。
匂いがダニの好む匂いである場合、ダニがマット本体５０の中に入り、粘着層２０の粘着面２１に捕捉される。
粘着層２０の粘着面２１が糸３１（又は織布３０）に覆われているので、粘着面２１が手に張り付いたり、マット本体５０に張り付くことがない。
【００３５】
次に、本発明の第四の実施形態に係る粘着シートを、図を基に、説明する。
図６は、本発明の第四の実施形態に係る粘着シートの斜視図である。
【００３６】
第四の実施形態に係る粘着シートは、基材１０と粘着層２０と複数の糸３１（又は織布３０）と誘引剤４１とマット本体５０とで構成される。
例えば、第四の実施形態に係る粘着シートは、微小生物を捕捉するためのシートである。
例えば、微小生物はダニである。
基材１０と粘着層２０と複数の糸３１（又は織布３０）は、第一または第二の実施形態に係る粘着シートものと同じなので、異なる点のみを説明し、他の説明を省略する。
【００３７】
隙間が微小生物の体よりも広く人間の指よりも狭い。
この様にすると、微小生物は粘着面２１に付着し、人間指は粘着面２１に付着しない。
【００３８】
誘引剤４１は、微小生物を誘引するものである。
基材１０が誘引剤４１を保持する。
例えば、基材１０の一方の面が粘着層２０を保持し、基材１０の他方の面が誘引剤４１を保持する。
誘引剤４１は、基材１０の面に接着されてもよい。
誘引剤４１は、基材１０にしみ込んでいてもよい。
例えば、基材１０の一方の面の一部の部分が粘着層２０を保持し、基材１０のその面の他の部分が誘引剤４１を保持する。
例えば、誘引剤４１は、微小生物が好む匂い等を発生させる。
例えば、誘引剤４１は、微小生物が好む匂い等を発生させる化学成分を小さなカプセルに封じ込めたものである。
誘引剤４１は、飛散しないように小袋に収納されてもよい。
【００３９】
マット本体５０は、第三の実施形態にかかる粘着シートのものと同じなので、説明を省略する。
【００４０】
次に、本発明の第五の実施形態に係る粘着シートを、図を基に、説明する。
図７は、本発明の第五の実施形態に係る粘着シートの斜視図である。
【００４１】
第五の実施形態に係る粘着シートは、基材１０と粘着層２０と複数の糸３１（又は織布３０）と誘引シート４０とマット本体５０とで構成される。
例えば、第五の実施形態に係る粘着シートは、微小生物を捕捉するためのシートである。
例えば、微小生物はダニである。
基材１０と粘着層２０と複数の糸３１（又は織布３０）は、第一または第二の実施形態に係る粘着シートものと同じなので、異なる点のみを説明し、他の説明を省略する。
【００４２】
隙間が微小生物の体よりも広く人間の指よりも狭い。
この様にすると、微小生物は粘着面２１に付着し、人間指は粘着面２１に付着しない。
【００４３】
誘引シート４０は、誘引剤４１を保持するシートである。
誘引剤４１は、微小生物を誘引するものである。
例えば、誘引シート４０の一方の面が誘引剤４１を保持する。
誘引剤４１は、誘引シート４０の面に接着されてもよい。
誘引剤４１は、誘引シート４０にしみ込んでいてもよい。
例えば、誘引剤４１は、微小生物が好む匂い等を発生させる。
例えば、誘引剤４１は、微小生物が好む匂い等を発生させる化学成分を小さなカプセルに封じ込めたものである。
誘引剤４１は、飛散しないように小袋に収納されてもよい。
【００４４】
マット本体５０は、第三の実施形態にかかる粘着シートのものと同じなので、説明を省略する。
【実施例】
【００４５】
以下に本発明にかかる粘着シートをダニ取りに応用した実施例を、図を基に、説明する。
図８は、本発明の実施例に係る吸着シートの拡大図である。
誘引剤４１は、除放性無機質マイクロカプセルに食品添加物のフルーツエキスを充填し酵母で発酵させたものである。
基材１０と粘着層２０と織布３０とを一体としたものと誘引シート４０とをマット本体５０に収納し、放置した。
織布３０は、ガーゼである。
ガーセは、０．２ｍｍ〜０．３ｍｍの太さの綿糸の縦糸と横糸とを織ったもので、並行する糸の間の隙間の寸法は、０．８ｍｍであった。
粘着層２０の粘着剤は強力な粘着力をもつが、粘着シートは手にまとわりつくこともなく、取扱容易であった。
数日後に回収し、粘着面２１を観察すると、ダニ５が捕捉されていた。
図８が、ダニ５が織布３０の縦糸３１と横糸３２とで囲まれる四角い隙間に捕捉されるのを示している。
この様に、容易に、ダニの捕捉される様子を観察できる。
【００４６】
以上説明したように、本発明に係る粘着シートは、その構成により、以下の効果を有する。
互いに隙間を空けて並んだ複数の糸３１を基材１０に保持された粘着層２０の粘着面２１に付着させたので、隙間より小さなものが粘着面２１に付着し、隙間より大きなものが粘着面２１に付着しない。
粘着面２１に付着する複数の糸３１が、粘着層２０の粘着面２１が露出する全ての領域を覆う様にしたので、隙間より小さなものが粘着シートに付着し、隙間より大きなものが粘着シートに付着しない。
互いに隙間を空けて並んだ複数の縦糸３１と複数の横糸３２とを織られてできた織布３０を基材１０に保持された粘着層２０の粘着面２１に付着させたので、隙間より小さなものが粘着面２１に付着し、隙間より大きなものが粘着面２１に付着しない。
複数の織布３０が粘着層２０の粘着面２１が露出する全ての領域を覆う様にしたので、隙間より小さなものが粘着シートに付着し、隙間より大きなものが粘着シートに付着しない。
また、隙間が人間の指の太さよりせまいので、吸引シートを取り扱う際に指にまとわり付くことがなく、取扱が様である。
また、微小な対象物の捕捉された様子を簡単に観察できる。
また、誘引剤４１が微小生物を誘引し、隙間が微小生物の体よりも広く人間の指よりも狭い様にしたので、誘引された微小生物が粘着面２１に付着し、人間の指は粘着面２１に付着しない。
また、基材１０が保持する誘引剤が微小生物を誘引し、隙間が微小生物の体よりも広く人間の指よりも狭い様にしたので、誘引された微小生物が粘着面２１に付着し、人間の指は粘着面２１に付着しない。
また、基材１０の一方の面が粘着層２０を保持し、他方の面が誘引剤４１を保持するので、簡易な構造でできる。
また、誘引シート４０が保持する誘引剤４１が微小生物を誘引し、隙間が微小生物の体よりも広く人間の指よりも狭い様にしたので、誘引された微小生物が粘着面２１に付着し、人間の指は粘着面２１に付着しない。
また、マット本体を袋状とし、基材を出し入れ可能としたので、適時に基材を取りだし、ダニ等の微小生物が粘着面に捕捉している様子を目視で確認できる。
また、織布に綿糸を織ったガーゼを用いたので、綿糸が効率良くダニを集める。
【００４７】
本発明は以上に述べた実施形態に限られるものではなく、発明の要旨を逸脱しない範囲で各種の変更が可能である。
粘着シートをダニ取りに用いる例で説明したが、これに限定されず、他の微小な対象物を捕捉するのにも用いられる。
図では、マット本体を片方の辺を中心に開け、他方の辺を面ファスナーで閉じることのできるものとして説明したが、これに限定されず、例えば、線ファスナーで閉じることのできる開口部を持ったものでもよい。
また、図１〜図４では、平たい基材の一部の面を示したが、基材はどのような寸法、または形状を持っていても良い。
【図面の簡単な説明】
【００４８】
【図１】本発明の第一の実施形態に係る吸着シートの断面図である。
【図２】本発明の第一の実施形態に係る吸着シートの平面図である。
【図３】本発明の第二の実施形態に係る吸着シートの断面図である。
【図４】本発明の第二の実施形態に係る吸着シートの平面図である。
【図５】本発明の第三の実施形態に係る吸着シートの斜視図である。
【図６】本発明の第四の実施形態に係る吸着シートの斜視図である。
【図７】本発明の第五の実施形態に係る吸着シートの斜視図である。
【図８】本発明の実施例に係る吸着シートの拡大図である。
【符号の説明】
【００４９】
５    ダニ
１０    基材
２０    粘着層
２１    粘着面
３０    織布
３１    縦糸（糸）
３２    横糸（糸）
４０    誘引シート
４１    誘引剤
５０    マット本体
【図１】
2008308654.tif 000003
【図２】
2008308654.tif 000004
【図３】
2008308654.tif 000005
【図４】
2008308654.tif 000006
【図５】
2008308654.tif 000007
【図６】
2008308654.tif 000008
【図７】
2008308654.tif 000009
【図８】
2008308654.tif 000010